(57)【要約】      （修正有）【課題】ランプアセンブリと取付プレートとを有する多機能灯具を提供する。【解決手段】ランプアセンブリ１１は、アルミ押し出し成形からなる台座１１１を有し、その正面に電気制御ボード１１２とＬＥＤランププレート１１３とを取付ける取付部１１１１を有し、電気制御ボードとＬＥＤランププレートとがランプシェード１１４に覆い被せられることで、防水効果が発揮される。台座の裏側には嵌め込み設置用の嵌着溝１１１２が設けられ、ねじ穴１２１と、少なくとも一つの磁気部１２３または一つの貫通穴１２４と、粘着テープ１２５との結合物とが設けられ、締結、ぶら下げ固定方式のほかに磁気吸着または束縛などの固定方式を使用できる。さらに、ランプアセンブリの両端部にはそれぞれ防水効果を有する直流電気入力端１１２１が設けられ、そこから接続して延長することで、様々な場面で使用できる。【選択図】図１
0003187461.tif 000002
【実用新案登録請求の範囲】
【請求項１】
多機能灯具であって、
細長状に形成され、一表面に取付部が設けられ、他の表面に嵌着溝が設けられ、２つの外側面にそれぞれ係合溝が設けられ、前記嵌着溝の両端部にそれぞれ開口部が形成された台座と、
前記取付部に設けられ、外部の直流電源に接続して１２Ｖ〜３６Ｖの直流電気を受け入れ、電圧保護、過電圧保護及び電流変換を経て、所定の直流電気を出力される電気制御ボードと、
前記取付部に設けられ、かつ前記電気制御ボードに接続され、複数のＬＥＤチップに電気接続して前記電気制御ボードの前記直流電気の駆動により発光される少なくとも一つのＬＥＤランププレートと、
前記電気制御ボード及び前記ＬＥＤランププレートの２つの側面に係着することによって、前記電気制御ボードとＬＥＤランププレートとを被覆し防水効果を発揮するランプシェードと、を有するランプアセンブリと、
前記台座の裏側に設けられ、中央部に、フックを取付けるか物体表面に螺着させるためのねじ穴が設けられ、前記ねじ穴の一側に少なくとも一つの補助固定部が設けられ、前記補助固定部は磁石、粘着テープまたはその組合せのいずれかにより選択され金属または磁気部材の表面に吸着させるか、または柱体に束縛される少なくとも一つの取付プレートと、
を備える多機能灯具。
【請求項２】
前記取付プレートの２つの側面には、一対の前記係合溝に対応してそれぞれ内向きに折り返された第１締結部が形成され、前記第１締結部が前記係合溝に締結されることによって、前記取付プレートが前記ランプアセンブリの裏側に被覆されることを特徴とする、請求項１記載の多機能灯具。
【請求項３】
前記電気制御ボードには、防水効果を有する直流電気入力端と、第１直流電気出力端と、第２直流電気出力端と、過電圧過電流保護モジュールと、直流電気変換モジュールとが設けられ、前記防水効果を有する直流電気入力端は前記過電圧過電流保護モジュールに電気接続され、前記第１直流電気出力端は前記防水効果を有する直流電気入力端と前記過電圧過電流保護モジュールとの間に設けられ、前記過電圧過電流保護モジュールは前記直流電気変換モジュールに電気接続され上で前記第２直流電気出力端に電気接続され、前記第２直流電気出力端から電気が前記ＬＥＤランプアセンブリに出力され、前記第２直流電気出力端が前記防水効果を有する直流電気出力端に電気接続され、前記防水効果を有する直流電気出力端はハウジングによって被覆されることを特徴とする、請求項１記載の多機能灯具。
【請求項４】
前記取付プレートの一側に接続され、前記ランプアセンブリの裏側に取り付けられる折板をさらに有し、前記折板と前記取付プレートとの間には所定の挟み角が形成され、前記所定の挟み角が１０〜９０度の間であることを特徴とする、請求項１記載の多機能灯具。
【請求項５】
前記折板と前記取付プレートとの接続場所に設けられ、前記折板と前記取付プレートの前記所定の挟み角を調節するための調整枢軸をさらに有することを特徴とする、請求項４記載の多機能灯具。
【考案の詳細な説明】
【技術分野】
【０００１】
本考案は照明用ランプアセンブリに関し、特に防水効果を有しており、かつ取付プレートに結合された後は、締結、ぶら下げ固定方式のほか、磁気吸着または束縛などの方式によって、様々な場面で適用可能な多機能灯具に関する。
【背景技術】
【０００２】
近年は発光ダイオード（Light Emitting Diode，ＬＥＤ）が従来の光源に比べて、消費電力が低く、効率が高く、寿命が長いなどの長所を有していることから、市場にＬＥＤを光源とした照明ランプアセンブリが多く出回るようになっている。そのため、ＬＥＤの省電力による優位性が際立つため、照明分野で一般的に使用されるようになったことから、その実用性は特に重要である。
【考案の概要】
【考案が解決しようとする課題】
【０００３】
現時点のＬＥＤを照明光源とする例としては、街灯、室内照明ランプアセンブリ、スタンドまたは懐中電灯などがよく見かけられる。ＬＥＤの発光は、電圧と電流を安定化させる効果を有する電気ドライバチップ（ＬＥＤチップもいう。）を使用して光源から出射することで実現される。しかし、発光は温度の上昇による発熱問題を引き起こす。特にハイパワーの発光チップが使用される場合には高温となり、照明ランプアセンブリのチップまたは電気制御ボードの過熱によって、寿命が大幅に短縮される。そのため、ほとんどのＬＥＤ照明灯具が設計にあたり、放熱問題を優先の解決課題にしている。しかし、放熱課題以外にも、各種のＬＥＤ照明灯はその用途により、様々な固定方式または固定台の設計が採用されている。そして、照明灯具は従来型の固定台方式の設計がほとんどであり、固定した状態で使用されるため、照明区域も限られている。そのために、この種の照明灯具の使用範囲を制限してしまうという課題がある。
【０００４】
本考案の一目的は、ランプアセンブリの裏側に取付プレートを嵌着させる嵌着溝を設け、取付プレートにねじ穴と、磁気部と、貫通穴と、粘着テープなどの設計により、灯具を締結、磁気吸着またはぶら下げなどの方式を用いて、取付け安定性を大幅にアップできると共に、使用範囲を有効に拡大する多機能灯具を提供することにある。
【０００５】
本考案の次の目的は、ランプアセンブリ内部のＬＥＤランププレートと電気制御ボードとを一体型または分離型の設計により、製造の柔軟性がアップされると共に、部材の無駄を軽減できる、多機能灯具を提供することにある。
【課題を解決するための手段】
【０００６】
前述した課題について、本考案者は、締結、ぶら下げまたは束縛方式に固定でき、しかも防水効果を有する多機能灯具を考案した。これにより、ＬＥＤランププレートと電気制御ボードとが整合し、一体型または分離型設計により、使用の実用性が大幅にアップする。
【０００７】
前述目的を達成するため、本考案の多機能灯具は、ランプアセンブリであって、細長状に形成され、その一つの表面に取付部が形成され、もう一つの表面に嵌着溝が形成され、かつ２つの外側面にそれぞれ係合溝が設けられ、嵌着溝の２つの端部にそれぞれ開口部が形成されたランプアセンブリと、取付部に設けられ、外部の直流電源と電気接続して、１２Ｖ〜３６Ｖの直流電気を受け入れ、過電圧保護、過電流保護及び直流電気変換を経て、所定の直流電気を出力される電気制御ボードと、取付部に設けられ、かつ電気制御ボードと電気接続され、複数のＬＥＤに電気接続させ、電気制御ボードの直流電気を用いて駆動し発光させる少なくとも一つのＬＥＤランププレートと、電気制御ボード及びＬＥＤランププレートの２つの側面に係着することで、電気制御ボードとＬＥＤランププレートとを内部に被覆し、防水効果を発揮するランプシェードと、台座の裏側に設けられ、中央部にねじ穴を設けてられ、それによりフックを取り付けるかまたは直接に物体の表面に螺着させることができ、ねじ穴の一側には少なくとも一つの補助固定部が設けられ、補助固定部は磁石、粘着テープ及びその組合せのいずれかより形成され、金属または磁気部材の表面に吸着させ、または柱体の表面に束縛される少なくとも一つの取付プレートと、を備える。
【０００８】
上記多機能灯具において、取付プレートの固定方式は２通り存在する。一つは取付プレートを開口部から嵌着溝に挿入し、取付プレートの２つの側面を嵌着溝に挟み込んで固定する。もう一つは取付プレートの２つの側面をそれぞれ一対のはさみ板に対応して内向きに折り返して第１締結部を形成しておき、第１締結部を係合溝に締結することにより、取付プレートをランプアセンブリの裏側に覆い被せて固定する。
【０００９】
上記多機能灯具において、電気制御ボードには防水効果を有する直流電気入力端と、第１直流電気出力端と、第２直流電気出力端と、過電圧過電流保護モジュールと、直流電気変換モジュールとが設けられ、防水効果を有する直流電気入力端は過電圧過電流保護モジュールに電気接続され、第１直流電気出力端は防水効果を有する直流電気入力端と過電圧過電流保護モジュールとの間に設けられ、過電圧過電流保護モジュールは直流電気変換モジュールに電気接続された上で第２直流電気出力端に電気接続され、第２直流電気出力端から電気がＬＥＤランプアセンブリに出力され、第２直流電気出力端は防水効果を有する直流電気出力端に電気接続され、防水効果を有する直流電力端は、ハウジングによって被覆されている。
【００１０】
上記多機能灯具において、電気制御ボードと、ＬＥＤランププレートとを同一の電気回路板に設けておき、製造コストの軽減を図ってもよい。
【００１１】
一実施例において、本考案の多機能灯具は、取付プレートの一側に位置し、ランプアセンブリの裏側に設ける折板をさらに有する。折板と取付プレートとの間には所定の挟み角が形成され、所定のはさみ角は１０度〜９０度であり、多機能灯具を固定した後の照射角の変更に用いられる。固定方式は上記と同じく２通りを有し、一つは折板を開口部より嵌着溝に挿入し、嵌着溝の内部に挟むことで固定する。もう一つの方式は前述実施例に同じく、折板の２つの側面を、一対の係合溝に対応して、内側に折り返して、第２締結部を形成し、第２締結部を利用して係合溝に締結させて、取付プレートをランプアセンブリの裏側に固着させる。
【００１２】
一実施例において、本考案の多機能灯具は、折板と取付プレートとの接続場所に設けられた調整枢軸をさらに有しており、折板と取付プレートとの所定の挟み角の調節に使用され、より便利に角度調整ができる。
【図面の簡単な説明】
【００１３】
【図１】本考案の実施例１の立体分解図である。
【図２】本考案の実施例１における組立断面図である。
【図３】本考案の実施例１によるもう一つの実施態様の断面図である。
【図４】本考案の実施例１による固定態様を示す図である（その１）。
【図５】本考案の実施例１による固定態様を示す図である（その２）。
【図６】本考案の実施例１による固定態様を示す図である（その３）。
【図７】本考案の実施例１による固定態様を示す図である（その４）。
【図８】本考案の実施例２による構造態様図である。
【図９】本考案の実施例３による調節態様図である。
【考案を実施するための形態】
【００１４】
本考案の内容のさらなる理解を図るため、以下にて図面と合わせて説明する。
【実施例１】
【００１５】
図１、２、３及び図４〜７、本考案の実施例１による立体分解図と、各組立態様を示す図と、各固定態様を示す図とを合わせて参照する。図に示すように、本考案の多機能灯具１は、ランプアセンブリ１１と、取付プレート１２と、を備える。
【００１６】
そのうち、ランプアセンブリ１１は、台座１１１と、電気制御ボード１１２と、ＬＥＤランププレート１１３と、ランプシェード１１４とを有する。台座１１１は、アルミ押し出し成形またはプラスチックあるいはセラミックからなる細長状に形成され、最上面に平面の取付部１１１１を有し、底面に嵌着溝１１１２を有し、２つの外側面にそれぞれ一つの係合溝１１１３を有し、嵌着溝１１１２の２つの端部にそれぞれ開口部１１１４を有する。電気制御ボード１１２は、取付部１１１３に設けられ、防水効果を有する直流電気入力端１１２１と、第１直流電気出力端１１２２と、第２直流電気出力端１１２３と、過電圧過電流保護モジュール１１２４と、直流電気変換モジュール１１２５とを有している。そのうち、防水効果を有する直流電気入力端１１２１は過電圧過電流保護モジュール１１２４に電気接続され、第１直流電気出力端１１２２は防水効果を有する直流電気入力端１１２１と過電圧過電流保護モジュール１１２４との間に設けられ、過電圧過電流保護モジュール１１２４は直流電気変換モジュール１１２５に電気接続された上で第２直流電気出力端１１２３に電気接続され、外部の直流電源２に接続されることによって、１２Ｖ〜３６Ｖの直流電気を受け入れて、過電圧保護、過電流保護及び直流電気変換を経て、所定の５Ｖ直流電気を出力される。ＬＥＤランププレート１１３は、複数のＬＥＤチップ１１３１に電気接続され、取付部１１１３に取り付けられ、かつ電気制御ボード１１２に電気接続され、第２直流電気出力端１１２３から５Ｖの直流電気を出力されて駆動発光される。本考案は電気制御ボード１１２の寿命が短いことに配慮して、電気制御ボード１１２とＬＥＤランププレート１１３が分離された設計を採用している。しかし、製造コストの軽減を図るため、電気制御ボード１１２とＬＥＤランププレート１１３とを同一の電気回路板に設けてもよいし、またはそれぞれ複数設けて、直列接続によって、実用長を延長させ、第２直流電気出力端１１２３を防水効果を有する直流電気出力端１１２６に電気接続し、防水効果を有する直流電気出力端１１２６を通常はハウジング１１２７の内部に覆い被せて置き、防水防塵の効果を実現してもよい。ランプシェード１１４は、その２つの側面がそれぞれ係合溝１１１３に嵌着され、電気制御ボード１１２とＬＥＤランププレート１１３を被覆することで、防水防塵効果を発揮する。
【００１７】
取付プレート１２は開口部１１１４より嵌着溝１１１２に挿入され、かつ取付プレート１２の２つの側面によって、嵌着溝１１１２の内部に固定される。図４、５に示すように、取付プレート１２の中央部にはねじ穴１２１が設けられ、直接に物体表面３に設定されてもよいし、またはフック１２２を介して突き出し物体にぶら下げられてもよい。図６に示すように、ねじ穴１２１の両側には、金属または磁気部材の表面３にそれぞれ吸着される磁気部１２３が設けられ、さらに、図７に示すように、ねじ穴１２１と磁気部１２３の両側にはそれぞれ貫通穴１２４が設けられていて、それぞれ粘着テープ１２５（雄と雌状）を通しておくことで、粘着または束縛方式によって柱体４に固定される。
【００１８】
図３に示すように、取付プレート１２の２つの側面をそれぞれ係合溝１１１３に対応して内向きに折り返して第１締結部１２６が形成されてもよい。第１締結部１２３によって、係合溝１１１３に締結することによって、取付プレート１２がランプアセンブリ１１の裏側を被覆するようにしてもよい。
【実施例２】
【００１９】
図８に、本考案の実施例２による構造態様図を示す。同図に示すように、本考案の実施例２と実施例１とで一番大きな相違点は、取付プレート１２の一側に折板１２７が連接され、かつ折板１２７と取付プレート１２との間に所定の挟み角θが形成されている点である。所定のはさみ角θは１０度〜９０であり、同図において所定のはさみ角θは約３０度とされている。さらに、折板１２７の取付方法は実施例１と同様であり、嵌着または被覆方式によって、ランプアセンブリ１１の裏側に設置することができる。
【実施例３】
【００２０】
図９は、本考案の実施例３による構造態様図を示す。同図に示すように、本考案の実施例３において、折板１２７と取付プレート１２との接続場所には、調節用枢軸１３が設けられ、折板１２７と取付プレート１２との所定の挟み角の角度の設定に用いられる。取付方法は前述２つの実施例と同様である。これにより取付完了後も照射角度を調節できるため、使用上はより便利である。
【符号の説明】
【００２１】
１        多機能灯具
１１      ランプアセンブリ
１１１    台座
１１１１  取付部
１１１２  嵌着溝
１１１３  係合溝
１１１４  開口部
１１２    電気制御ボード
１１２１  防水効果の直流電気入力端
１１２２  第１直流電気出力端
１１２３  第２直流電気出力端
１１２４  過電圧過電流保護モジュール
１１２５  直流電気変換モジュール
１１２６  防水効果を有する直流電気出力端
１１２７  ハウジング
１１３    ＬＥＤランププレート
１１３１  ＬＥＤチップ
１１４    ランプシェード
１２      取付プレート
１２１    ねじ穴
１２２    フック
１２３    磁気部
１２４    貫通穴
１２５    粘着テープ
１２６    第１締結部
１２７    折板
１３      調節用枢軸
２        直流電源
３        表面
４        柱体
θ        所定の挟み角
【図１】
0003187461.tif 000003
【図２】
0003187461.tif 000004
【図３】
0003187461.tif 000005
【図４】
0003187461.tif 000006
【図５】
0003187461.tif 000007
【図６】
0003187461.tif 000008
【図７】
0003187461.tif 000009
【図８】
0003187461.tif 000010
【図９】
0003187461.tif 000011